(57)【特許請求の範囲】
【請求項１】
両端部に支点を備えシリンダ部とロッド部を具備したガススプリングと、一方端部の支点により回動自在に設け、前記ガススプリングが伸びきったときに前記シリンダ部と当接してガススプリングをロックさせるストッパ部と、当該ストッパ部が前記ロッド部と当接する前に前記シリンダ部と当接するリミッタ部を具備したガススプリングストッパと、を備えたカバー開閉支持機構であって、
前記ガススプリングストッパのストッパ部と略反対側に突出し、前記ロックを解除する解除取っ手部を設け、前記解除取っ手部の重さを利用して前記ガススプリングストッパが前記ストッパ部と略反対側に回動するようにしたことを特徴とするカバー開閉支持機構。
【請求項２】
請求項１記載のカバー開閉支持機構を備えたことを特徴とする自動取引装置。
【発明の詳細な説明】
【技術分野】
【０００１】
本発明は、現金自動預払機等の自動取引装置などにおけるガススプリングを用いたカバー開閉支持機構に関するものである。
【背景技術】
【０００２】
一般に、現金自動預払機等の自動取引装置では、図５に示したように、後扉１０２を開錠して開き、後方よりネジ止めを外すことにより操作パネル等が備えられた開閉カバー１０１を開けて、内部ユニットなどを保守できるようになっている。
【０００３】
そして、保守を行う際に、重い開閉カバー１０１を開きやすいようにカバー開閉支持機構を備え、図５（ｂ）に示したガススプリング９１により開閉カバー１０１の上昇を補助し、後述するガススプリングストッパ９２によりガススプリング９１をロックし、開閉カバー１０１が閉まらないようにしている。
【０００４】
そして、保守が終了し、開閉カバー１０１を閉じるときは、ガススプリングストッパ９２を押してストッパを外すことによりゆっくり閉じるようになっている。
【０００５】
この従来の自動取引装置１００のカバー開閉支持機構は、図４に示したように、ガススプリング９１と、ガススプリングストッパ９２とからなる。
【０００６】
そして、ガススプリング９１は、シリンダ部９１ｃとロッド部９１ｄとからなり、開閉カバー１０１側となるシリンダ部９１ｃ上端にガススプリング支点９１ａを備え、自動取引装置１００のキャビネット固定側となるロッド部９１ｄの下端にガススプリング支点９１ｂを備えている。
【０００７】
一方、ガススプリングストッパ９２は、ガススプリング９１をロックするストッパ部９２ａと、ストッパ部９２ａがガススプリング９１のロッド部９１ｄに接してロッド部９１ｄを傷つけないようにするためのリミッタ部９２ｂと、ガススプリングストッパ９２を矢印Ａのようにガススプリング９１へ寄せて破線ａ部のようにストッパ部９２ａをガススプリング９１に当接させるための付勢部材としてのスプリング９３とから構成されている。
【０００８】
このように特に重力等に対抗して開閉する開閉カバーに取り付けられるガススプリングでは、ガススプリング９１の経年変化のためにガス圧による反力が低下し開閉カバー１０１が垂れ下がることを防止するためにガススプリングストッパ９２を備えており、ガススプリング９１のシリンダ部９１ｃとロッド部９１ｄの外形差を利用したストッパ形状を設けている。
【０００９】
そして、付勢部材としては、図４のように引張コイルスプリングを用いたものや、圧縮コイルスプリングにてガススプリングストッパ９２を同様に矢印Ａ方向に押し付けるものや、トーションスプリングをガススプリング支点９１ａなどに取付けて矢印Ａ方向に寄せるものがあった（例えば、特許文献１参照）。
【先行技術文献】
【特許文献】
【００１０】
【特許文献１】特開平１０−１１５３４０号公報
【発明の概要】
【発明が解決しようとする課題】
【００１１】
しかしながら、上記従来のカバー開閉支持機構では、ガススプリングが伸びきったときにガススプリングのシリンダ部とガススプリングストッパのストッパ部を確実に当接させるためには、ガススプリングストッパをガススプリングのロッド部側に付勢するスプリングを設ける必要があった。一方、このスプリングが強すぎると、ストッパ部がガススプリングのロッド部に接してロッド部を傷つけてしまう場合があった。
【課題を解決するための手段】
【００１２】
本発明は、前述の課題を解決するため次の構成を採用する。すなわち、両端部に支点を備えシリンダ部とロッド部を具備したガススプリングと、一方端部の支点により回動自在に設け、前記ガススプリングが伸びきったときに前記シリンダ部と当接してガススプリングをロックさせるストッパ部と、当該ストッパ部が前記ロッド部と当接する前に前記シリンダ部と当接するリミッタ部を具備したガススプリングストッパと、を備えたカバー開閉支持機構であって、前記ガススプリングストッパのストッパ部と略反対側に突出し、前記ロックを解除する解除取っ手部を設け、前記解除取っ手部の重さを利用して前記ガススプリングストッパが前記ストッパ部と略反対側に回動するようにした。
【発明の効果】
【００１３】
本発明のカバー開閉支持機構によれば、両端部に支点を備えシリンダ部とロッド部を具備したガススプリングと、一方端部の支点により回動自在に設け、前記ガススプリングが伸びきったときに前記シリンダ部と当接してガススプリングをロックさせるストッパ部と、当該ストッパ部が前記ロッド部と当接する前に前記シリンダ部と当接するリミッタ部を具備したガススプリングストッパと、を備えたカバー開閉支持機構であって、前記ガススプリングストッパのストッパ部と略反対側に突出し、前記ロックを解除する解除取っ手部を設け、前記解除取っ手部の重さを利用して前記ガススプリングストッパが前記ストッパ部と略反対側に回動するようにしたので、スプリングなどの部材を設けることなく確実にガススプリングをロックさせることができ、ストッパ部がガススプリングのロッド部に接してロッド部を傷つけることもない。
【図面の簡単な説明】
【００１４】
【図１】実施例１のカバー開閉支持機構の構成図である。
【図２】実施例１のカバー開閉支持機構の構成図である。
【図３】実施例２のカバー開閉支持機構の構成図である。
【図４】従来のカバー開閉支持機構の構成図である。
【図５】カバー開閉支持機構を備えた自動取引装置の外観斜視図および動作説明図である。
【発明を実施するための形態】
【００１５】
以下、本発明に係わる実施の形態例を、図面を用いて説明する。なお、図面に共通する要素には同一の符号を付す。
【実施例１】
【００１６】
（構成）
図１は、実施例１のカバー開閉支持機構の構成を示す側面図あり、図２はその上面図である。同図に示したように、実施例１のカバー開閉支持機構は、ガススプリング１と、ガススプリングストッパ２とからなる。
【００１７】
そして、ガススプリング１は、シリンダ部１ｃとロッド部１ｄとからなり、開閉カバー１０１側となるシリンダ部１ｃ上端にガススプリング支点１ａを備え、自動取引装置１００のキャビネット固定側となるロッド部１ｄの下端にガススプリング支点１ｂを備えている。
【００１８】
一方、ガススプリングストッパ２は、ガススプリング１をロックするストッパ部２ａと、ストッパ部２ａがガススプリング１のロッド部１ｄに接してロッド部１ｄを傷つけないようにするためのリミッタ部２ｂと、ストッパ解除のための解除取っ手部２ｃとからなる。
【００１９】
このように実施例１のカバー開閉支持機構では、解除取っ手部２ｃを設けているので、図１に示したようにガススプリングストッパ２の重心位置が解除取っ手部２ｃ側の２ｇの位置となり、解除取っ手部２ｃの自重により矢印Ａ方向のモーメントが発生するようになっている。
【００２０】
そして、ストッパ部２ａとリミッタ部２ｂの位置関係は、図２（ｂ）の開閉カバーを開いたときの状態として示したように、ストッパ部２ａがロッド部１ｄに接する前にリミッタ部２ｂがガススプリング１のシリンダ部１ｃに当接する位置関係となっている。
【００２１】
（動作）
以上の構成により実施例１のカバー開閉支持機構は、以下のように動作する。この動作を前述の図１、図２のカバー開閉支持機構の構成図および図５の自動取引装置の外観斜視図および動作説明図を用いて以下詳細に説明する。
【００２２】
自動取引装置１００の内部ユニットの点検等を行う場合、後扉１０２を開錠して開き、後方よりネジ止めを外し操作パネルが備えられた開閉カバー１０１を図５のように開けると、ガススプリング１が徐々に伸長する。このとき、ガススプリング１の落下を止めるストッパ部２ａは図２（ａ）の上面図のようにガススプリング１と平行の状態となっている。
【００２３】
そして、ガススプリング１が伸びきった位置、すなわち、ガススプリング１を止めるストッパ部２ａがガススプリング１のシリンダ部１ｃを抜けた位置で、解除取っ手部２ｃの重さにより発生する前述の矢印Ａ方向のモーメントにより、図２矢印Ｃのようにガススプリングストッパ２がガススプリング１のロッド部１ｄに寄り、その結果、図１の破線ａ部のようにガススプリング１の収縮をストッパ部２ａにより止めるロック状態となる。
【００２４】
なお、このとき、従来のように付勢手段により強くガススプリングストッパ２を回動しないので、リミッタ部２ｂがガススプリング１のシンリダ部１ｃに当接して、ストッパ部２ａがガススプリング１のロッド部１ｄに接することはなく、図２（ｂ）に示したようになる。
【００２５】
このロック状態になることにより、開閉カバー１０１は自重で開放位置から垂れ下がったり、不用意に閉められたりしなくなる。
【００２６】
そして、内部ユニット等の保守を終了し開閉カバー１０１閉める場合は、矢印Ａ方向とは逆方向に解除取っ手部２ｃを押してストッパ部２ａとガススプリング１のシリンダ部１ｃの当接を外し、ロック状態を解除することにより開閉カバー１０１を閉め、後方よりネジ止めし、後扉１０２の鍵をかけて保守作業を終了する。
【００２７】
（実施例１の効果）
以上のように実施例１の自動取引装置のカバー開閉支持機構によれば、ガススプリングストッパのストッパ部と略反対側に解除取っ手部を設け、ガススプリングストッパの重心をガススプリングの中心軸よりずらして自重によりススプリングストッパがストッパ部と略反対側に回動するようにしたので、スプリングなどの付勢部材を設けることなく確実にガススプリングをロックさせることができ、ストッパ部がガススプリングのロッド部に接してロッド部を傷つけることもない。
【実施例２】
【００２８】
（構成）
図３は、実施例２のカバー開閉支持機構の上面部を示す。同図に示したように、実施例２のカバー開閉支持機構では、ガススプリング１のロッド部１ｄが入り込める空間１２ｆを設け、当該空間１２ｆを挟んで対向してストッパ部１２ａを両側２ヶ所設けるようにしている。その他の構成は実施例１の構成と同様であるので、簡略化のためにその詳細な説明は省略する。なお、実施例２のカバー開閉支持機構の側面図は図１とほぼ同様となっている。
【００２９】
（動作）
以上の構成により実施例２のカバー開閉支持機構は、以下のように動作する。この動作を前述の図３のカバー開閉支持機構を用いて詳細に説明する。
【００３０】
自動取引装置１００の内部ユニットの点検等を行う場合、実施例１と同様、後扉１０２を開錠して開き、後方よりネジ止めを外し操作パネルが備えられた開閉カバー１０１を図５のように開けると、ガススプリング１が徐々に伸長する。このとき、ガススプリング１の落下を止めるストッパ部１２ａは、図３（ａ）に示したようにガススプリング１と平行の状態となっている。
【００３１】
そして、ガススプリング１が伸びきった位置、すなわち、ガススプリング１を止めるストッパ部１２ａがガススプリング１のシリンダ部１ｃを抜けた位置で、解除取っ手部２ｃの重さにより発生する前述図１の矢印Ａ方向のモーメントによりガススプリング１がガススプリング支点１ｂを支点として回動する。
【００３２】
すると、図３矢印Ｃのようにガススプリングストッパ２がガススプリング１のロッド部１ｄに寄り、ロッド部１ｄが空間１２ｆを通過し、図３（ｂ）に示したように、ガススプリング１の収縮をストッパ部１２ａにより止めるロック状態となる。
【００３３】
このとき、従来のように付勢手段により強くガススプリングストッパ２を回動させず、さらに、空間１２ｆを設け、ストッパ部１２ａを広くしてリミッタ部２ｂとストッパ部１２ａとの位置関係の精度を低くしてもよいようにしているので、リミッタ部２ｂがガススプリング１のシンリダ部１ｃに必ず先に当接してストッパ部１２ａがガススプリング１のロッド部１ｄに接することをなくすことができる。
【００３４】
このロック状態になることにより、開閉カバー１０１は自重で開放位置から垂れ下がったり、不用意に閉められたりしなくなる。
【００３５】
そして、内部ユニット等の保守を終了し開閉カバー１０１閉める場合は、矢印Ｃ方向とは逆方向に解除取っ手部２ｃを押してストッパ部１２ａとガススプリング１のシリンダ部１ｃの当接を外し、ロック状態を解除することにより開閉カバー１０１を閉め、後方よりネジ止めし、後扉１０２の鍵をしめて保守作業を終了する。
【００３６】
（実施例２の効果）
以上のように実施例２のカバー開閉支持機構によれば、ガススプリングのロッド部が入り込める空間を設け、当該空間を挟んで対向してストッパ部を設ける構成としシリンダ部と当接するストッパ部の範囲を広くするようにしたので、実施例１の効果に加え、さらに確実にガススプリングをロックさせることができるとともに、ストッパ部とリミッタ部の位置精度にバラツキがあってもストッパ部とロッド部との接触を確実に防止することができる。
【００３７】
《その他の変形例》
以上の実施例の説明では、カバー開閉支持機構を上下方向に開閉する開閉カバーに備えた例を説明したが、斜め上下方向や略水平方向に開閉するカバーにカバー開閉支持機構を備えた場合にも本発明を適用することができる。
【００３８】
例えば、水平方向に開閉するカバーにカバー開閉支持機構を備えた場合では、図１に示した解除取っ手部２ｃ側を下側にして取り付ければ、カバーを水平方向に開いてシリンダ１が伸びきったときに、ガススプリングストッパ２または１２の自重によるガススプリング支点１ｂを支点としたモーメントにより、ストッパ部２ａまたは１２ａとガススプリング１のシリンダ部１ｃが当接しロック状態とすることができる。
【００３９】
また、以上の説明では、図５のように自動取引装置１００の右側のみにカバー開閉支持機構を備えた例を説明したが、左側に設ける場合や左右両方に設ける場合でも、本発明を容易に適用することができる。
【産業上の利用可能性】
【００４０】
以上述べたように、本発明は、ガススプリングを用いたカバー開閉支持機構を備える現金自動預払機等の自動取引装置に広く用いることができる。
【符号の説明】
【００４１】
１    ガススプリング
１ａ、１ｂ  ガススプリング支点
１ｃ  シリンダ部
１ｄ  ロッド部
２、１２    ガススプリングストッパ
２ａ、１２ａ  ストッパ部
２ｂ  リミッタ部
２ｃ  解除取っ手部
２ｇ  重心
１２ｆ  空間
【図１】
0005473676.tif 000002
【図２】
0005473676.tif 000003
【図３】
0005473676.tif 000004
【図４】
0005473676.tif 000005
【図５】
0005473676.tif 000006